(57)【要約】【課題】扉が大きい、特に縦方向に長く、スチール製の厚さの薄い板体で作られているものであっても、扉の閉塞状態において扉を上下方向の３点以上で支持し、扉の閉塞状態における扉の安定性を向上させ、また扉の上下方向の歪みを修正することができるようにしたスチール扉の施錠装置を提供する。【解決手段】空間部の前面に形成される開口部に蝶番により開閉自在に取り付けられたスチール扉２の前記蝶番による回転枢支側とは反対側の端部に設けられる施錠装置３であって、スチール扉２の高さ方向の中間部においてスチール扉２の外面に取り付けられたハンドルの回転軸に一側部が結合されハンドルの回転によって前記回転軸の回りで回動する中間の係止片６と、この中間の係止片６に上向きの連結ロッド８を介して連結された上側の係止片１０と、前記中間の係止片６に下向きの連結ロッド１２を介して連結された下側の係止片１４とを備えてなる。【選択図】図２
2007278004.tif 000002
【特許請求の範囲】
【請求項１】
空間部の前面に形成される開口部に蝶番により開閉自在に取り付けられたスチール扉の前記蝶番による回転枢支側とは反対側の端部に設けられる施錠装置であって、スチール扉の高さ方向の中間部においてスチール扉の外面に取り付けられたハンドルの回転軸に一側部が結合されハンドルの回転によって前記回転軸の回りで回動する中間の係止片と、この中間の係止片の前記回転軸との結合部よりも一側端部側において係止片の下端に枢結ピンにより下端が枢結された上向きの連結ロッドの上端に枢結ピンにより下端が枢結された上側の係止片と、前記中間の係止片の前記回転軸との結合部よりも他側部側における中間の係止片の上端に枢結ピンにより上端が枢結された下向きの連結ロッドの下端に枢結ピンにより上端が枢結された下側の係止片とを備えてなり、前記ハンドル操作により前記各係止片の先端部がスチール扉の前記蝶番による回転枢支側とは反対側の端面に形成された長孔に対し出退するように構成され、各係止片の先端部を前記空間部の側部に形成された係止孔に係止させスチール扉の閉塞状態を保持するように構成してなることを特徴とするスチール扉の施錠装置。
【請求項２】
上側の係止片の上端に枢結ピンにより下端が枢結された上向きの連結ロッドの上端に枢結ピンにより上端が枢結された係止片を備えてなり、ハンドル操作により各係止片の先端部がスチール扉の前記蝶番による回転枢支側とは反対側の端面に形成された長孔に対し出退するように構成され、各係止片の先端部を空間部の側部に形成された係止孔に係止させスチール扉の閉塞状態を保持するように構成してなることを特徴とする請求項１記載のスチール扉の施錠装置。
【請求項３】
下側の係止片の下端に枢結ピンにより上端が枢結された下向きの連結ロッドの下端に枢結ピンにより下端が枢結された係止片を備えてなり、ハンドル操作により各係止片の先端部がスチール扉の前記蝶番による回転枢支側とは反対側の端面に形成された長孔に対し出退するように構成され、各係止片の先端部を空間部の側部に形成された係止孔に係止させスチール扉の閉塞状態を保持するように構成してなることを特徴とする請求項１または２記載のスチール扉の施錠装置。
【発明の詳細な説明】
【技術分野】
【０００１】
本発明は、ガスチャンバーやトランクルームなどの開閉部に設けられるスチール扉の施錠装置に関するものである。
【背景技術】
【０００２】
従来、ガスチャンバーやトランクルームなどの開閉部に設けられるスチール扉の施錠装置としては例えば特許文献１に開示されているような扉ロック機構が知られている。この特許文献１には上部ロック機構と下部ロック機構とを扉の略中央に取り付けられた取手から別々に動作させる上部連動機構と下部連動機構とを設けてなる扉ロック機構が開示されている。
【特許文献１】特開平９−２７３３４５号公報
【発明の開示】
【発明が解決しようとする課題】
【０００３】
上記特許文献１に開示されている扉ロック機構の構成では扉の上端と下端とをそれぞれロック機構により係止させるものであるが、扉が大きい、特に縦方向に長く、扉がスチール製の厚さの薄い板体で作られている場合、扉を上下で２点支持するだけでは扉の閉塞状態において扉の安定性が悪く、扉の上下方向の歪みを修正することができないという問題があった。
【０００４】
本発明の目的は、このような課題を解決するものであり、扉が大きい、特に縦方向に長く、スチール製の厚さの薄い板体で作られているものであっても、扉の閉塞状態において扉を上下方向の３点以上で支持し、扉の閉塞状態における扉の安定性を向上させ、また扉の上下方向の歪みを修正することができるようにしたスチール扉の施錠装置を提供することにある。
【課題を解決するための手段】
【０００５】
本発明の請求項１に記載のスチール扉の施錠装置は、空間部の前面に形成される開口部に蝶番により開閉自在に取り付けられたスチール扉の前記蝶番による回転枢支側とは反対側の端部に設けられる施錠装置であって、スチール扉の高さ方向の中間部においてスチール扉の外面に取り付けられたハンドルの回転軸に一側部が結合されハンドルの回転によって前記回転軸の回りで回動する中間の係止片と、この中間の係止片の前記回転軸との結合部よりも一側端部側において係止片の下端に枢結ピンにより下端が枢結された上向きの連結ロッドの上端に枢結ピンにより下端が枢結された上側の係止片と、前記中間の係止片の前記回転軸との結合部よりも他側部側における中間の係止片の上端に枢結ピンにより上端が枢結された下向きの連結ロッドの下端に枢結ピンにより上端が枢結された下側の係止片とを備えてなり、前記ハンドル操作により前記各係止片の先端部がスチール扉の前記蝶番による回転枢支側とは反対側の端面に形成された長孔に対し出退するように構成され、各係止片の先端部を前記空間部の側部に形成された係止孔に係止させスチール扉の閉塞状態を保持するように構成してなることを特徴とする。
【０００６】
請求項２に記載のスチール扉の施錠装置は、上側の係止片の上端に枢結ピンにより下端が枢結された上向きの連結ロッドの上端に枢結ピンにより上端が枢結された係止片を備えてなり、ハンドル操作により各係止片の先端部がスチール扉の前記蝶番による回転枢支側とは反対側の端面に形成された長孔に対し出退するように構成され、各係止片の先端部を空間部の側部に形成された係止孔に係止させスチール扉の閉塞状態を保持するように構成してなることを特徴とする。
【０００７】
請求項３に記載のスチール扉の施錠装置は、下側の係止片の下端に枢結ピンにより上端が枢結された下向きの連結ロッドの下端に枢結ピンにより下端が枢結された係止片を備えてなり、ハンドル操作により各係止片の先端部がスチール扉の前記蝶番による回転枢支側とは反対側の端面に形成された長孔に対し出退するように構成され、各係止片の先端部を空間部の側部に形成された係止孔に係止させスチール扉の閉塞状態を保持するように構成してなることを特徴とする。
【発明の効果】
【０００８】
以上のように、本発明のスチール扉の施錠装置は、互いに連動する少なくとも上、中、下の３つの係止片によりスチール扉を閉塞状態に保持するように構成されているので、閉塞状態におけるスチール扉の安定性を向上させ、また厚さの薄く歪みが生じやすいスチール扉において上下方向の歪みを修正することもできる。
【発明を実施するための最良の形態】
【０００９】
以下、本発明の実施の形態を、図１〜図９を用いて具体的に説明する。
図において、１はボックス本体で、このボックス本体１の前面開口部には蝶番（図示せず）により開閉自在なスチール扉２が取り付けられている。このスチール扉２の前記蝶番による回転枢支側とは反対側の端部に高さ方向の上下両端および中間部でボックス本体１に対して係止する施錠装置３が設けられている。この施錠装置３はスチール扉２の高さ方向の中間部においてスチール扉２の外面に取り付けられたハンドル４の回転軸５に一側部が結合されハンドル４の回転によって前記回転軸５の回りで回動する中間の係止片６と、この係止片６の前記回転軸５との結合部よりも一側端部側において係止片６の下端に枢結ピン７により下端が枢結された上向きの連結ロッド８の上端に枢結ピン９により下端が枢結された上側の係止片１０と、前記係止片６の前記回転軸５との結合部よりも他側部側、詳しくは係止片６と回転軸５との結合部を中心に、係止片６と連結ロッド８との枢結部と対称位置における係止片６の上端に枢結ピン１１により上端が枢結された下向きの連結ロッド１２の下端に枢結ピン１３により上端が枢結された下側の係止片１４とを備えている。さらに詳しくは、前記中間の係止片６はスチール扉２の外面に取り付けられたハンドル４に連結ピン１５により連結された回転軸５の先端が係止片６に形成された星形の孔部１６に嵌入して回転軸５の先端よりビス１７を締め付けることにより回転軸５と結合される。ハンドル４はハンドルケース１８に対して突出していない状態と突出した状態に変位し、ハンドルケース１８から突出した状態のハンドル４を手で握って９０度正逆回転させることにより係止片６も９０度正逆回転して、スチール扉２の前記蝶番による回転枢支側とは反対側の端面に形成された長孔１９に対し係止片６の先端部６ａが出退するようになっている。また、前記上側の係止片１０および下側の係止片１４は共に前記中間の係止片６と大きさや形状が同じに作られており、中間の係止片６と上側の係止片１０は同位置の下端同士を連結ロッド８により連結され、中間の係止片６と下側の係止片１４は同位置の上端同士を連結ロッド１２により連結されている。そして、前記上側の係止片１０および下側の係止片１４はそれぞれ平面形状がコの字形のブラケット２０および２１に前記中間の係止片６の孔部１６と同位置でピン２２および２３により枢結され、前記ブラケット２０および２１をスチール扉２の前記蝶番による回転枢支側とは反対側の端部に上下方向全長に亘って折り曲げて形成された空間部２４内に収めてビス止めした状態において前記３つの係止片６，１０，１４が上方または下方から見て横方向のずれがなく縦方向に並ぶように構成されている。なお、前記ブラケット２０および２１には前記スチール扉２の前記蝶番による回転枢支側とは反対側の端面に形成された長孔１９と上下方向に並ぶように形成された長孔２５および２６と合致するように長孔２７および２８が形成されており、係止片１０および１４の先端部１０ａおよび１４ａがそれぞれ長孔２７，２５および長孔２８，２６に対し出退するようになっている。
【００１０】
上記構成において、３つの係止片６，１０，１４は連結ロッド８，１２により連動することになり、中間の係止片６をハンドル４操作により９０度正逆回転させることにより３つの係止片６，１０，１４は連動して同方向に回転することになる。スチール扉２を取り付けるボックス本体１には閉じられたスチール扉２の前記係止片６，１０，１４が係止する３つの係止孔２９が前記蝶番による枢支側とは反対側の側部に形成され、前記閉じられたスチール扉２の係止片６，１０，１４をハンドル４操作により回転させることにより係止孔２９から外れてスチール扉２を開くことができる。スチール扉２を開かれているときハンドル４はハンドルケース１８から突出して横に向いており、この状態からスチール扉２を閉じてハンドル４を下に回すことにより係止片６，１０，１４を係止孔２９に係止させることができる。スチール扉２が閉じられているときはハンドル４を押し込んでハンドルケース１８から突出していない状態にしておく。そして、この状態において図面では詳細に示されていないが、ハンドル４の下端のキー孔にキーを差し込んでハンドルをロックさせ、スチール扉２の閉塞状態を保持するようになっている。
【００１１】
ところで、以上述べた実施の形態では上、中、下の３つの係止片６，１０，１４を中間の係止片６をハンドル４操作により回転させることにより連動させるようになっているが、スチール扉２の高さに応じて上側の係止片１０および下側の係止片１４の少なくとも何れか一方に前記同様連結ロッドを介して係止片を繋ぎ設けることも可能で、これによりスチール扉２を４点以上で係止させることができるようになる。
【００１２】
さらに、本実施の形態ではボックス本体１の前面開口部を開閉するスチール扉２の施錠装置３を例に挙げたが、この他に例えば集合住宅の各戸の通路側に面する壁面に形成される収納用の空間部の前面に形成される開口部を開閉するために設けられるスチール扉の施錠装置などにも適用できる。
【図面の簡単な説明】
【００１３】
【図１】本発明の一実施の形態における施錠装置の斜視図である。
【図２】同施錠装置をスチール扉に取り付けた状態をスチール扉の内側から見た斜視図である。
【図３】図２のＡ部拡大斜視図である。
【図４】図２のＢ部拡大斜視図である。
【図５】図２のＣ部拡大斜視図である。
【図６】同施錠装置を備えたスチール扉を前方から見た施錠状態の斜視図である。
【図７】図６のＸ−Ｘ矢視図である。
【図８】同施錠装置を備えたスチール扉を前方から見た施錠解除状態の斜視図である。
【図９】図８のＹ−Ｙ矢視図である。
【符号の説明】
【００１４】
１          ボックス本体
２          スチール扉
３          施錠装置
４          ハンドル
５          回転軸
６          中間の係止片
６ａ        先端部
７          枢結ピン
８          連結ロッド
９          枢結ピン
１０          上側の係止片
１０ａ        先端部
１１          枢結ピン
１２          連結ロッド
１３          枢結ピン
１４          下側の係止片
１４ａ        先端部
１５          連結ピン
１６          孔部
１７          ビス
１８          ハンドルケース
１９          長孔
２０，２１    ブラケット
２２，２３    ピン
２４          空間部
２５，２６    長孔
２７，２８    長孔
２９          係止孔
【図１】
2007278004.tif 000003
【図２】
2007278004.tif 000004
【図３】
2007278004.tif 000005
【図４】
2007278004.tif 000006
【図５】
2007278004.tif 000007
【図６】
2007278004.tif 000008
【図７】
2007278004.tif 000009
【図８】
2007278004.tif 000010
【図９】
2007278004.tif 000011